(57)【要約】【課題】車両走行中に操作部の操作によるよそ見運転を防止することができる車両用操作装置を提供する。【解決手段】  車両用操作装置１は、車速センサ２と、ＥＣＵ３と、スイッチ４と、スイッチ照明部５と、光センサ６とを備えている。車速センサ２により検出された車速が所定値以上であった場合に、スイッチ４をその周囲に同化させることにより、運転者が視認し難く又は視認不可能になる。これによって、運転者によるスイッチ４の入力操作を制限し、スイッチ４の入力操作によるよそ見運転を防止することができる。【選択図】  図１
2009248641.tif 000002
【特許請求の範囲】
【請求項１】
車速を検出する車速検出部と、
運転者の入力操作を受け付ける操作部と、
前記車速検出部により検出された車速に応じて前記操作部の表示態様を変化させる表示制御部と、
を備えることを特徴とする車両用操作装置。
【請求項２】
前記表示制御部は、前記車速検出部により検出された車速が所定値以上であった場合に、運転者が視認し難く又は視認不可能になるように前記操作部の表示態様を変化させることを特徴とする請求項１に記載の車両用操作装置。
【請求項３】
前記表示制御部は、前記操作部をその周囲に同化させることにより、運転者が視認し難く又は視認不可能になるように前記操作部の表示態様を変化させることを特徴とする請求項２に記載の車両用操作装置。
【発明の詳細な説明】
【技術分野】
【０００１】
本発明は、ナビゲーションやオーディオ等の車両に搭載された車両用操作装置に関する。
【背景技術】
【０００２】
従来、車両に搭載された車両用操作装置として、例えば特開平７−９６７７５号公報に記載されるように、運転者の肘をコンソールリッド上につけて肘の着座点を支点に腕を前方へ振り降した時に、指先が描く回動軌跡線と略面直な方向にスイッチを配設したものが知られている。この装置は、楽な姿勢でスイッチの入力操作を容易に行うことでスイッチの操作性を向上するものである。
【特許文献１】特開平７−９６７７５号公報
【発明の開示】
【発明が解決しようとする課題】
【０００３】
しかしながら、従来の車両用操作装置にあっては、運転者によるスイッチの入力操作を制限する手段がないので、車両の高速走行中でも運転者がスイッチの操作を行うことが可能であり、運転者がスイッチ入力操作のためによそ見運転を行うおそれがある。
【０００４】
そこで本発明は、このような技術課題を解決するためになされたものであって、車両走行中に操作部の入力操作によるよそ見運転を防止することができる車両用操作装置を提供することを目的とする。
【課題を解決するための手段】
【０００５】
すなわち本発明に係る車両用操作装置は、車速を検出する車速検出部と、運転者の入力操作を受け付ける操作部と、車速検出部により検出された車速に応じて操作部の表示態様を変化させる表示制御部とを備えて構成される。
【０００６】
この発明によれば、表示制御部は車速検出部により検出された車速に応じて操作部の表示態様を変化させるので、車速に応じて運転者による操作部の入力操作を制限することが可能となる。これによって、車両走行中に操作部の入力操作によるよそ見運転を防止することができる。ここで、表示態様とは、操作部の形状、模様、配置位置、表示色などを含むことを意味する。
【０００７】
ここで、車両用操作装置において、表示制御部は、車速検出部により検出された車速が所定値以上であった場合に、運転者が視認し難く又は視認不可能になるように操作部の表示態様を変化させることが好適である。
【０００８】
このように車速が所定値以上であった場合に、表示制御部は運転者が視認し難く又は視認不可能となるように操作部の表示態様を変化させることで、車両走行中に運転者による操作部の入力操作を制限し、操作部の入力操作によるよそ見運転を確実に防止することができる。
【０００９】
また、車両用操作装置において、表示制御部は、操作部をその周囲に同化させることにより、運転者が視認し難く又は視認不可能になるように操作部の表示態様を変化させることを好適である。
【００１０】
このように操作部をその周囲に同化させることにより、運転者が視認し難くあるいは視認不可能になるように操作部の表示態様を変化させることで、車両走行中に運転者による操作部の入力操作を確実に制限することができ、操作部の入力操作によるよそ見運転を防止することができる。ここで、同化とは、操作部の表示態様をその周囲のものと同一にし、あるいは近似にすることを意味する。
【発明の効果】
【００１１】
本発明によれば、車両走行中に操作部の入力操作によるよそ見運転を防止することができる車両用操作装置を提供することができる。
【発明を実施するための最良の形態】
【００１２】
以下、添付図面を参照して本発明の実施形態について説明する。
【００１３】
本実施形態に係る車両用操作装置１は、車両に搭載されて運転者の入力操作によって所定機能を実行する装置であって、例えば、目的地まで案内するカーナビゲーションが挙げられる。
【００１４】
最初に、本実施形態に係る車両用操作装置１の構成を説明する。図１は本実施形態に係る車両用操作装置の構成を示すブロック図である。
【００１５】
図１に示すように、車両用操作装置１は、車速センサ（車速検出部）２、ＥＣＵ（Electronic Control Unit）（表示制御部）３、スイッチ（操作部）４、スイッチ照明部５、及び光センサ６を備えている。ここで、ＥＣＵとは、装置全体を制御するための制御ユニットであり、ＣＰＵ（CentralProcessing Unit）、ＲＯＭ（Read Only Memory）、ＲＡＭ（Random Access Memory）、及び入出力インターフェイスなどを備えて構成されている。
【００１６】
車速センサ２は、自車の車速を検出し、検出した車速を車速信号としてＥＣＵ３に出力する機能を有している。この車速センサ２は、例えば４輪に各々設けられ、各車輪の回転速度を計測することにより車両の車速を検出するセンサである。
【００１７】
スイッチ４は、運転者の入力操作を受け付け、その入力操作によって所定機能を実行するか否かを選択するためのものである。このスイッチ４は、例えば液晶ディスプレイ画面上に表示されたものであって、直接指等で触れることにより入力ができる複数のタッチスイッチである。
【００１８】
スイッチ照明部５は、スイッチ４を照明する機能を有し、ＥＣＵ３により制御されている。スイッチ照明部５は、ＥＣＵ３からの制御信号に基づいてスイッチ４に照明光を照射したり、その照射を止めたりすることで、スイッチ４を表示されたり、表示されなかったりすることができる。また、このスイッチ照明部５は、ＥＣＵ３からの制御信号に基づいて照明光の強度等を変えることで、液晶ディスプレイの輝度を変更するようにされている。スイッチ照明部５は、例えばバックライトから構成される。
【００１９】
光センサ６は、スイッチ４の近傍に設けられ、スイッチ４を入力操作しようとして所定範囲までに指等を近づけること、又はスイッチ４が指等により半押しされていることを検出し、検出したことを検出信号としてＥＣＵ３に出力する機能を有している。この光センサ６は、例えば発光素子と、発光素子からの光の反射で検出する受光素子から構成されている。
【００２０】
ＥＣＵ３は、車速判定部３１と、スイッチ視認化判定部３２と、スイッチ入力操作判定部３３と、音声発生部３４とを備えている。車速判定部３１は、車速センサ２に接続され、車速センサ２が出力した車速信号を取得し、取得した車速が所定値以上であるか否かを判定する処理である。そして、車速判定部３１は、その判定結果をスイッチ視認化判定部３２へ出力する。
【００２１】
スイッチ視認化判定部３２は、車速判定部３１により出力された判定結果に基づいて、スイッチ４を視認化にするか否かを判定する機能を有している。スイッチ４を視認化にすると判定された場合には、スイッチ照明部５にその照明光を照射し、スイッチ４が見える状態に維持するように制御信号を出力する。スイッチ４を視認化にしないと判定され、スイッチ４を視認し難くした場合には、スイッチ視認化判定部３２は、スイッチ照明部５に、その照明光の強度を小さくする制御信号をスイッチ照明部５へ出力する。一方、スイッチ４を視認化にしないと判定され、スイッチ４を視認不可能にした場合には、スイッチ照明部５に照明光の照射を止める制御信号を出力する。
【００２２】
スイッチ入力操作判定部３３は、光センサ６に接続され、光センサ６が出力した検出信号を取得し、取得した検出信号に基づいてスイッチ４の入力操作があるか否かを判定する機能を有している。そして、スイッチ入力操作判定部３３は、その判定結果を音声発生部３４へ出力する。
【００２３】
音声発生部３４は、スイッチ入力操作判定部３３が出力した判定結果に基づいて、それに接続された音声データベース８から対応する音声を抽出し、抽出した音声データをスピーカ７を介して出力する機能を有している。例えば、「目的地設定」のスイッチ４を入力操作しようとして所定範囲までに指等を近づけることにより、スイッチ入力操作判定部３３によってスイッチ４への入力操作があると判定された場合に、音声データベース８から「目的地設定スイッチです」の音声データを抽出し、スピーカ７を通して運転者に通知する。また、スイッチ４が指等により半押しされることによりスイッチ４への入力操作があると判定された場合に、「目的地設定スイッチです」との音声案内が流され、運転者に通知する。
【００２４】
次に、本実施形態に係る車両用操作装置１の動作について説明する。図２、３は、本実施形態に係る車両用操作装置１の動作を示すフローチャートである。
【００２５】
図２に示す制御処理は、例えばイグニッションオンされてから所定のタイミングで繰り返し実行される。図２に示す制御処理が開始されると、車両用操作装置１のスイッチ４が見える状態にする（Ｓ１０）。例えば、スイッチ照明部５のバックライトが点灯し、スイッチ４に照明光を照射することで、運転者がスイッチ４の表示態様を確認できる状態である。Ｓ１０の処理が終了すると、車速取得処理へ移行する（Ｓ１２）。
【００２６】
Ｓ１２の処理は、車速判定部３１が実行し、車速センサ２が出力した車速信号を読み込み、自車の車速を取得する処理である。Ｓ１２の処理が終了すると、車速判定処理へ移行する（Ｓ１４）。
【００２７】
Ｓ１４の処理は、車速判定部３１が実行し、Ｓ１２の処理で取得した車速が所定値以上であるか否かを判定する処理である。所定値の範囲は、３〜５０ｋｍ／ｈであることが好ましく、５〜１５ｋｍ／ｈであることがより好ましい。Ｓ１４の処理において、取得した車速が所定値以上でないと判定した場合には、車両用操作装置１は、図２に示す制御処理を終了する。一方、Ｓ１４の処理において、取得した車速が所定値以上であると判定した場合には、スイッチを視認し難く又は視認不可能にする処理へ移行する（Ｓ１６）。
【００２８】
Ｓ１６の処理は、スイッチ視認化判定部３２が実行し、Ｓ１４の処理の判定結果に基づいて、スイッチ４を視認化にするか否かを判定する処理である。Ｓ１６の処理において、スイッチ４を視認化にすると判定した場合には、スイッチ４が見える状態に維持する。一方、Ｓ１６の処理において、スイッチ４を視認化にしないと判定し、スイッチ４を視認不可能にした場合には、スイッチ視認化判定部３２は、スイッチ照明部５にその照射を止めるように制御信号を出力する。これによって、スイッチ４に照射する照射光が消え、スイッチ４の表示色がその周囲の色と同色（例えば黒色）になって、スイッチ４が視認できなくなる。なお、スイッチ４の表示色がその周囲の色と同色させるには、必ずしも照明光の照射を止めることに限らず、スイッチ照明部５の照明光の色をスイッチ４の周囲の色に変更してもよい。例えば、ディスプレイの背景色が青色で、スイッチ４に照明する照明光の色が白色であった場合、照明光の色を白色から青色に変えてスイッチ４に照射してもよい。
【００２９】
また、スイッチ４を視認化にしないと判定し、スイッチを視認し難くした場合には、スイッチ視認化判定部３２は、スイッチ照明部５にその照明光の強度を小さくする制御信号を出力する。スイッチ照明部５は、スイッチ視認化判定部３２からの制御信号に基づいて、照明光の強度を小さくする。これによって、スイッチ４の表示色をその周囲の色と同化させ、スイッチ４が視認し難くなる。Ｓ１６の処理が終了すると、図２に示す制御処理が終了する。
【００３０】
図４は車速に応じてカーナビゲーションスイッチ類の表示態様の変化を示す説明図であり、（ａ）は車速が所定値未満の時の表示態様を示し、（ｂ）は車速が所定値以上の時の表示態様を示す図である。図４に示すように、車速が所定値未満である場合に、カーナビゲーション９に内蔵されたスイッチ類のバックライト等の点灯により、アイコンや文字が浮き上がり、視認可能な状態になる。そして、車速が所定値以上になると、バックライト等の消灯により、アイコンや文字がボタンなどの背景と同化し、即時に視認不可能な状態になる（図４（ｂ））。
【００３１】
図５は車速に応じてステアリングスイッチ類の表示態様の変化を示す説明図であり、（ａ）は車速が所定値未満の時の表示態様を示し、（ｂ）は車速が所定値以上の時の表示態様を示す図である。図５（ａ）に示すように、車速が所定値未満である場合に、ステアリングスイッチ類１０に内蔵されたバックライト等の点灯により、アイコンや文字が浮き上がり、視認可能な状態になる。そして、車速が所定値以上になると、バックライト等の消灯により、アイコンや文字がボタンなどの背景と同化し、即時に視認不可能な状態になる（図５（ｂ））。
【００３２】
また、車速が所定値以上であってスイッチ４を視認し難く又は視認不可能にした後、車速が所定値以下であると判定された場合（Ｓ１２、Ｓ１４）、スイッチ可視化判定部３２は、スイッチ照明部５にその照明光を点灯するように制御信号を出力する。これによって、スイッチ４にスイッチ照明部５の照明光を照射し、スイッチ４が再び見える状態になる。
【００３３】
図３に示す制御処理は、例えば車速が所定値以上の場合に所定のタイミングで繰り返し実行される。図３に示す制御処理が開始されると、車両用操作装置１は、スイッチ入力があるか否かを判定する（Ｓ２０）。このＳ２０の処理は、スイッチ入力操作判定部３３が実行し、光センサ６が出力した検出信号に基づいて、運転者によるスイッチ４への入力操作があるか否かを判定する。Ｓ２０の処理おいて、スイッチ４への入力操作がないと判定した場合には、車両用操作装置１は、図３に示す制御処理を終了する。一方、Ｓ２０の処理において、スイッチ４への入力操作があると判定した場合には、音声出力処理へ移行する（Ｓ２２）。
【００３４】
Ｓ２２の処理は、音声発生部３４が実行し、Ｓ２０の判定結果に基づいて、運転者に音声案内する処理である。音声発生部３４は、それに接続された音声データベース８から対応する音声を取り出し、スピーカ７を介して運転者に通知する。そして、Ｓ２２の処理が終了すると、図３に示す制御処理が終了する。
【００３５】
以上、本実施形態に係る車両用操作装置１によれば、ＥＣＵ３は、車速センサ２により検出された車速に応じてスイッチ４の表示態様を変化させるので、車速に応じて運転者によるスイッチ４の入力操作制限を行うことが可能となる。このため、スイッチ４の入力操作によるよそ見運転を防止することができる。
【００３６】
また、本実施形態に係る車両用操作装置１によれば、車速が所定値以上であった場合には、スイッチ４をその周囲に同化させることにより、運転者が視認し難く又は視認不可能になるので、運転者によるスイッチ４の入力操作を確実に制限することができ、スイッチ４の入力操作によるよそ見運転を防止することができる。
【００３７】
更に、車両用操作装置１はスイッチ入力操作判定部３３と音声発生部３４とを備えるので、スイッチ４を視認し難く又は視認不可能になった場合には、音声で運転者にスイッチ４の入力操作を案内することで、運転者が前方から視線をそらすことなくスイッチの入力操作を行うことができる。これによって、スイッチ４の入力操作によるよそ見運転を防止することができ、安全運転を確保することができる。
【００３８】
なお、上述した実施形態は本発明に係る車両用操作装置の一例を示すものである。本発明に係る車両用操作装置は、この実施形態に係る車両用操作装置に限られるものではなく、各請求項に記載した要旨を変更しない範囲で、実施形態に係る車両用操作装置を変形し、又は他のものに適用したものであってもよい。例えば、上記の実施形態では操作部をスイッチ４として説明を行ったが、これに限らず、アイコンやボタン等としてもよい。
【図面の簡単な説明】
【００３９】
【図１】実施形態に係る車両用操作装置の構成を示すブロック図である。
【図２】図１の車両用操作装置の動作を示すフローチャートである。
【図３】図１の車両用操作装置の動作を示すフローチャートである。
【図４】車速に応じてカーナビゲーションスイッチ類の表示態様の変化を示す説明図である。
【図５】車速に応じてステアリングスイッチ類の表示態様の変化を示す説明図である。
【符号の説明】
【００４０】
１…車両用操作装置、２…車速センサ（車速検出部）、３…ＥＣＵ（表示制御部）、４…スイッチ（操作部）。
【図１】
2009248641.tif 000003
【図２】
2009248641.tif 000004
【図３】
2009248641.tif 000005
【図４】
2009248641.tif 000006
【図５】
2009248641.tif 000007